(57)【要約】【課題】コンジットライナの内部に潤滑剤を塗布するための潤滑剤塗布用ワイヤロープを提供する。【解決手段】潤滑剤塗布用ワイヤロープ１０は、複数の素線１０４を撚り合わせて形成され、コンジットライナ２０の内部に挿入される潤滑剤塗布用ワイヤロープ１０であって、複数の素線１０４がほつれないように処理された一端部１０２ａと、複数の素線１０４が外側に広がっている他端部１０２ｂと、を備え、他端部１０２ｂから離れた位置にある素線１０４がほつれないように処理された処理部１０６ａが設けられている。【選択図】図１
2016203203.tif 000002
【特許請求の範囲】
【請求項１】
複数の素線を撚り合わせて形成され、コンジットライナの内部に挿入される潤滑剤塗布用ワイヤロープであって、
前記複数の素線がほつれないように処理された一端部と、
前記複数の素線が外側に広がっている他端部と、を備えた潤滑剤塗布用ワイヤロープ。
【請求項２】
請求項１記載の潤滑剤塗布用ワイヤロープであって、
前記他端部から離れた位置にある前記素線がほつれないように処理された処理部が設けられている潤滑剤塗布用ワイヤロープ。
【請求項３】
請求項１記載の潤滑剤塗布用ワイヤロープであって、
前記潤滑剤塗布ワイヤロープの長手方向に間隔を空けてそれぞれ配置され、前記他端部から離れた位置にある前記素線がほつれないように処理された複数の処理部が設けられている潤滑剤塗布用ワイヤロープ。
【請求項４】
潤滑剤を受ける受け部及び一端が前記受け部に接続され、他端がコンジットライナに挿入される管部を有する潤滑剤供給具と、
前記受け部及び前記管部を通って、前記コンジットライナに挿入される請求項１記載の潤滑剤塗布用ワイヤロープと、を備えた潤滑剤塗布器具。
【請求項５】
請求項４記載の潤滑剤塗布器具が備える潤滑剤供給具。
【請求項６】
潤滑剤をコンジットライナに注入する工程と、
請求項１記載の潤滑剤塗布用ワイヤロープを前記潤滑剤が注入された前記コンジットライナの内部に挿入し、該潤滑剤を前記コンジットライナの内部に塗布する工程と、
前記潤滑剤塗布用ワイヤロープを前記コンジットライナから抜く工程と、を含む潤滑剤塗布方法。
【請求項７】
潤滑剤を請求項１記載の潤滑剤塗布用ワイヤロープに付着させる工程と、
前記潤滑剤が付着した前記潤滑剤塗布用ワイヤロープをコンジットライナの内部に挿入し、該潤滑剤を前記コンジットライナの内部に塗布する工程と、
前記潤滑剤塗布用ワイヤロープを前記コンジットライナから抜く工程と、を含む潤滑剤塗布方法。
【請求項８】
一端部の素線がほつれないように処理されたワイヤロープと、
前記ワイヤロープの他端に接続され、該ワイヤロープの径方向外側に広がるブラシ毛材を有するブラシ部と、を備えた潤滑剤塗布用線条体。
【発明の詳細な説明】
【技術分野】
【０００１】
本発明は、潤滑剤塗布用ワイヤロープ、潤滑剤塗布用線条体、潤滑剤塗布器具、潤滑剤供給具、及び潤滑剤塗布方法に関する。
【背景技術】
【０００２】
特許文献1には、ライナの屈曲等により送給抵抗が高くなる過酷な使用環境下においても、良好な送給性を長時間発揮することのできる溶接用コンジットライナが記載されている。この溶接用コンジットライナは、溶接ワイヤをガイドする巻線型のコンジットライナであって、線径０．８〜２．２ｍｍの金属線を内径１．５〜３．０ｍｍの螺旋状に巻き、ワイヤ通路を除く容積が、巻線1周当たり３〜９０ｍｍ３の空隙部を入り口から少なくとも０．５ｍの距離にわたって巻線間に間隙を設けることに形成し、この部分のライナ外周に被覆を施したことを特徴としている。
【０００３】
特許文献２には、ワイヤ送給装置と溶接トーチとをつなぐコンジット内に設けられ、ワイヤ送給装置から送り出されたワイヤを溶接トーチに導くガイド孔が開設された溶接ワイヤ送給用ライナが記載されている。この溶接ワイヤ送給用ライナは、ガイド孔の軸線に対して直角の面で切断したときの断面形状を、ワイヤが挿通可能な非円形に形成したことを特徴としている。
【先行技術文献】
【特許文献】
【０００４】
【特許文献１】特開２００１−２７６９７５号公報
【特許文献２】特開平７−２４１６７７号公報
【発明の概要】
【発明が解決しようとする課題】
【０００５】
溶接作業においては、溶接ワイヤの送給性を向上させるため、溶接ワイヤを案内するコンジットライナの内部に潤滑剤が塗布されることが好ましい。
本発明は、コンジットライナの内部に潤滑剤を塗布するための潤滑剤塗布用ワイヤロープ、潤滑剤塗布用線条体、潤滑剤塗布器具、潤滑剤供給具、及び潤滑剤塗布方法を提供することを目的とする。
【課題を解決するための手段】
【０００６】
前記目的に沿う第１の発明に係る潤滑剤塗布用ワイヤロープは、複数の素線を撚り合わせて形成され、コンジットライナの内部に挿入される潤滑剤塗布用ワイヤロープであって、
前記複数の素線がほつれないように処理された一端部と、
前記複数の素線が外側に広がっている他端部と、を備える。
【０００７】
第１の発明に係る潤滑剤塗布用ワイヤロープにおいて、
前記他端部から離れた位置にある前記素線がほつれないように処理された処理部が設けられていることが好ましい。
【０００８】
第１の発明に係る潤滑剤塗布用ワイヤロープにおいて、
前記潤滑剤塗布ワイヤロープの長手方向に間隔を空けてそれぞれ配置され、前記他端部から離れた位置にある前記素線がほつれないように処理された複数の処理部が設けられていることが好ましい。
【０００９】
前記目的に沿う第２の発明に係る潤滑剤塗布器具は、潤滑剤を受ける受け部及び一端が前記受け部に接続され、他端がコンジットライナに挿入される管部を有する潤滑剤供給具と、
前記受け部及び前記管部を通って、前記コンジットライナに挿入される第１の発明に係る潤滑剤塗布用ワイヤロープと、を備える。
【００１０】
前記目的に沿う第３の発明に係る潤滑剤供給具は、第２の発明に係る潤滑剤塗布器具が備える潤滑剤供給具である。
【００１１】
前記目的に沿う第４の発明に係る潤滑剤塗布方法は、潤滑剤をコンジットライナに注入する工程と、
第１の発明に係る潤滑剤塗布用ワイヤロープを前記潤滑剤が注入された前記コンジットライナの内部に挿入し、該潤滑剤を前記コンジットライナの内部に塗布する工程と、
前記潤滑剤塗布用ワイヤロープを前記コンジットライナから抜く工程と、を含む。
【００１２】
前記目的に沿う第５の発明に係る潤滑剤塗布方法は、潤滑剤を第１の発明に係る潤滑剤塗布用ワイヤロープに付着させる工程と、
前記潤滑剤が付着した前記潤滑剤塗布用ワイヤロープをコンジットライナの内部に挿入し、該潤滑剤を前記コンジットライナの内部に塗布する工程と、
前記潤滑剤塗布用ワイヤロープを前記コンジットライナから抜く工程と、を含む。
【００１３】
前記目的に沿う第６の発明に係る潤滑剤塗布用線条体は、一端部の素線がほつれないように処理されたワイヤロープと、
前記ワイヤロープの他端に接続され、該ワイヤロープの径方向外側に広がるブラシ毛材を有するブラシ部と、を備える。
【発明の効果】
【００１４】
本発明によれば、コンジットライナの内部に潤滑剤を塗布するための潤滑剤塗布用ワイヤロープ、潤滑剤塗布用線条体、潤滑剤塗布器具、潤滑剤供給具、及び潤滑剤塗布方法を提供できる。
【図面の簡単な説明】
【００１５】
【図１】本発明の第１の実施の形態に係る潤滑剤塗布用ワイヤロープを側面から見た説明図である。
【図２】コンジットライナの内部を通る同潤滑剤塗布用ワイヤロープの作用を示す説明図である。
【図３Ａ】同潤滑剤塗布用ワイヤロープを備える潤滑剤塗布器具の説明図である。
【図３Ｂ】同潤滑剤塗布用ワイヤロープを備える潤滑剤塗布器具の第１の変形例を示す説明図である。
【図３Ｃ】同潤滑剤塗布用ワイヤロープを備える潤滑剤塗布器具の第２の変形例を示す説明図である。
【図４】本発明の第２の実施の形態に係る潤滑剤塗布用線条体を側面から見た説明図である。
【発明を実施するための形態】
【００１６】
続いて、添付した図面を参照しつつ、本発明を具体化した実施の形態につき説明し、本発明の理解に供する。なお、図において、説明に関連しない部分は図示を省略する場合がある。
【００１７】
〔第１の実施の形態〕
本発明の第１の実施の形態に係る潤滑剤塗布用ワイヤロープ１０は、図１に示すように、例えば直径１．０〜１．５ｍｍの金属製のワイヤロープを用いて形成されている。詳細には、潤滑剤塗布用ワイヤロープ１０は、金属製の複数本の素線１０４を撚り合わせて形成されたストランドを更に撚り合わせて形成されている。
潤滑剤塗布用ワイヤロープ１０は、図２に示すように、溶接ワイヤ（不図示）を案内するコンジットライナ２０の内部に挿入され、コンジットライナ２０の内部に潤滑剤を塗布できる。潤滑剤塗布用ワイヤロープ１０の長さは、コンジットライナ２０の長さより、例えば少なくとも５００ｍｍ長くなっている。
なお、コンジットライナ２０は、巻線２０２によって形成される。溶接ワイヤが通るコンジットライナ２０の孔の半径ｒ２ａは、例えば０．８ｍｍ〜０．９ｍｍである。
【００１８】
潤滑剤塗布用ワイヤロープ１０の一端部１０２ａは、図１に示すように、各素線１０４がほつれないように処理されている。具体的には、一端部１０２ａはろう付け又ははんだ付けされ、研削して丸くなるように仕上げられている。
【００１９】
潤滑剤塗布用ワイヤロープ１０の他端部１０２ｂは、各素線１０４がほつれて外側に広がっている。詳細には、ほつれた一部（例えば、全ての素線の本数の４０〜９０％）の各素線１０４の先端方向と潤滑剤塗布用ワイヤロープ１０の軸心ＡＸが延びる方向とがなす角度が角度θ以上９０度以下の範囲で広がっている。角度θは３０度であることが好ましく、４５度であることが更に好ましい。加えて、ワイヤロープの軸心ＡＸからほつれた一部の各素線１０４の先端の位置までの半径方向の距離ｒ１が、コンジットライナ２０の軸心ＡＸ２（図２参照）からコンジットライナ２０の巻線２０２によって形成される凹部２０４までの距離ｒ２ｂよりも大きくなっている。距離ｒ１は、例えば、１．５〜４．０ｍｍである。
他端部１０２の素線１０４は、コンジットライナ２０の巻線２０２によって形成される凹部２０４に入り込むように外側に広がっているので、凹部２０４に溜まった汚れや潤滑剤による油溜まりを取り除くことができる。
【００２０】
潤滑剤塗布用ワイヤロープ１０の他端部１０２ｂから例えば２５〜３５ｍｍ離れた位置Ａには、図１に示すように、ろう付け又ははんだ付けされ、素線１０４がほつれないように処理された複数の処理部１０６ａ〜１０６ｃが設けられている。これら複数の処理部１０６ａ〜１０６ｃは、潤滑剤塗布用ワイヤロープ１０の長手方向に例えば２５〜３５ｍｍの間隔を空けて配置されている。従って、素線１０４のほつれが一端部１０２ａの方向に過度に又は不均等に進展することが抑制される。
【００２１】
次に、図２を参照して、潤滑剤塗布用ワイヤロープ１０を用いた潤滑剤の塗布方法について説明する。潤滑剤は、まず、工程Ｓａ１〜Ｓａ３に示す洗浄作業が実施された後、工程Ｓａ４〜Ｓａ７に従って、コンジットライナ２０の内部に塗布される。
【００２２】
（工程Ｓａ１）
コンジットライナ２０の端部の開口部を上に向け、シリンジを用いて洗浄液をコンジットライナ２０の内部に注入する。洗浄液は、例えば炭化水素系溶剤が好ましい。
【００２３】
（工程Ｓａ２）
洗浄液が注入された側（コンタクトチップが取り付けられる側とは反対側）からコンジットライナ２０の内部に潤滑剤塗布用ワイヤロープ１０を挿入する。潤滑剤塗布用ワイヤロープ１０は、一端部１０２ａの側から挿入される。
【００２４】
（工程Ｓａ３）
潤滑剤塗布用ワイヤロープ１０をコンジットライナ２０の内部に送り、先端側をコンジットライナ２０から抜き取る。
ここで、コンジットライナ２０の内部には、劣化した油脂や溶接ワイヤに付着した銅めっき粉、鉄粉及び作業場内の塵埃が持ち込まれ、汚れ（高粘度の付着物質）２２となって、コンジットライナ２０の巻線２０２によって形成される凹部２０４に蓄積される。この汚れ２２は、溶接ワイヤが滑らかに送給されることを阻害する要因となる。
図２に示すように、潤滑剤塗布用ワイヤロープ１０がコンジットライナ２０の内部を通ると、潤滑剤塗布用ワイヤロープ１０の後端側となる他端部１０２ｂの素線１０４がコンジットライナ２０の内部の凹部２０４に入り込み、凹部２０４に蓄積された汚れ２２が掻き出される。
従って、潤滑剤塗布用ワイヤロープ１０が、ほつれた素線がコンジットライナ２０の内部の凹部２０４に入り込むように広がる他端部１０２ｂを備えているので、工程Ｓａ１にて注入された洗浄液が汚れを溶解する作用と相俟って、コンジットライナ２０の内部が洗浄される。
コンジットライナ２０の内部を洗浄する工程Ｓａ１〜Ｓａ３は、汚れの程度に応じて繰り返して実施される。
【００２５】
コンジットライナ２０の内部を洗浄後、続いて以下に示す潤滑剤の塗布作業を実施する。
（工程Ｓａ４）
シリンジを用いて潤滑剤をコンジットライナ２０の内部に注入する。
【００２６】
（工程Ｓａ５）
潤滑剤が注入された側（コンタクトチップが取り付けられる側とは反対側）からコンジットライナ２０の内部に潤滑剤塗布用ワイヤロープ１０を挿入する。潤滑剤塗布用ワイヤロープ１０は、一端部１０２ａの側から挿入される。
【００２７】
（工程Ｓａ６）
挿入された潤滑剤塗布用ワイヤロープ１０には、工程Ｓａ４にてコンジットライナ２０の内部に注入された潤滑剤が付着する。
付着した潤滑剤は、潤滑剤塗布用ワイヤロープ１０とともに送られ、コンジットライナ２０の全体にわたって塗布される。
なお、コンジットライナ２０の内部の凹部２０４に溜まる潤滑剤は、潤滑剤塗布用ワイヤロープ１０の他端部１０２ｂの素線１０４によって掻き出され、潤滑剤が凹部２０４に溜まってしまうことが抑えられる。
【００２８】
（工程Ｓａ７）
潤滑剤塗布用ワイヤロープ１０を更に送り、コンジットライナ２０から抜き取る。コンジットライナ２０の内部に潤滑剤をまんべんなく塗布するために、工程Ｓａ４から工程Ｓａ７を複数回繰り返してもよい。
【００２９】
このように、潤滑剤塗布用ワイヤロープ１０を用いた潤滑剤の塗布方法によれば、コンジットライナ２０の内部に蓄積した汚れを除去し、潤滑剤を塗布できる。
潤滑剤がコンジットライナ２０の内部に予め塗布されることにより、コンジットライナ２０と溶接ワイヤとの間に生じる摩擦抵抗が低減され、溶接ワイヤが安定して送給される。
【００３０】
なお、潤滑剤塗布用ワイヤロープ１０の他端部１０２ｂの素線１０４が折れたり変形したりして、所望の機能を発揮しなくなった場合には、素線１０４の先端側を切断して機能を回復できる。ただし、切断を繰り返して素線１０４の先端が処理部１０６ａの近くまで達した場合には、処理部１０６ａを切断して、新たな他端部の素線を形成できる。
【００３１】
次に、本実施の形態に係る潤滑剤塗布用ワイヤロープ１０を備える潤滑剤塗布器具５０ａ（図３Ａ参照）について説明する。
潤滑剤塗布器具５０ａは、少なくとも、潤滑剤供給具６０ａ及び潤滑剤塗布用ワイヤロープ１０により構成され、シリンジでは注入し難い粘度の高い潤滑剤を塗布できる。
【００３２】
潤滑剤供給具６０ａは、受け部６１０及び管部６２０ａを有している。
受け部６１０は、洗浄液及び潤滑剤を受けることができる。受け部６１０の内側は円錐状にくぼんでおり、円形状の第１の開口部Ｈ１と円形状の第２の開口部Ｈ２が設けられている。図３Ａにおいて、第１の開口部Ｈ１は、上向きに開口している。第２の開口部Ｈ２は、下向き（第１の開口部Ｈ１が開口する向きとは反対の向き）に開口し、第１の開口部Ｈ１よりも大きさが小さくなっている。受け部６１０の断面の径は、第１の開口部Ｈ１から第２の開口部Ｈ２に向かうに従って小さくなっている。第２の開口部Ｈ２の大きさは、潤滑剤塗布用ワイヤロープ１０の外形よりも大きく設定されている。
受け部６１０の内側の表面には、目盛（不図示）が刻まれており、洗浄液及び潤滑剤の分量を測定できる。
【００３３】
管部６２０ａは、一方向に延び、一端が受け部６１０の第２の開口部Ｈ２に接続され、他端（先端）がコンジットライナ２０に挿入される。管部６２０ａは例えばステンレス製の薄肉のチューブである。
なお、図３Ｂ及び図３Ｃにそれぞれ示すように、コンジットライナ２０の端部の開口部が水平方向及び下方向を向いている場合には、図３Ａに示す潤滑剤供給具６０ａに代えて、コンジットライナ２０の開口部の向きに対応して曲がった管部６２０ｂを有する潤滑剤供給具６０ｂ、及び管部６２０ｃを有する潤滑剤供給具６０ｃがそれぞれ適用される。
潤滑剤供給具６０ａ、６０ｂ、６０ｃは、例えば、漏斗および漏斗に接続された可撓性を有するチューブにより構成されてもよい。
【００３４】
次に、潤滑剤塗布器具５０ａを用いた潤滑剤の塗布方法について説明する。潤滑剤は、まず、工程Ｓｂ１〜Ｓｂ６に示す洗浄作業が実施された後、工程Ｓｂ７〜Ｓｂ１０に従って、コンジットライナ２０の内部に塗布される。
【００３５】
（工程Ｓｂ１）
潤滑剤塗布器具５０ａ（潤滑剤供給具６０ａ及び潤滑剤塗布用ワイヤロープ１０）を準備する。
【００３６】
（工程Ｓｂ２）
潤滑剤供給具６０ａの管部６２０ａの先端をコンジットライナ２０に挿入する。
【００３７】
（工程Ｓｂ３）
潤滑剤塗布用ワイヤロープ１０の一端部１０２ａ（図１参照）を、第２の開口部Ｈ２まで挿入する。第２の開口部Ｈ２は、潤滑剤塗布用ワイヤロープ１０によって塞がれた状態となる。
【００３８】
（工程Ｓｂ４）
受け部６１０に、予め決められた分量の洗浄液７０を投入する。洗浄液７０は、例えば炭化水素系溶剤が好ましい。
なお、図３Ｂ又は図３Ｃに示すように、コンジットライナ２０の端部の開口部が上方以外の方向を向いている場合には、開口部の向きに対応して曲がった管部６２０ｂ、６２０ｃをそれぞれ有する潤滑剤供給具６０ｂ、６０ｃが使用され、受け部６１０の第１の開口部Ｈ１が上方を向いた状態で洗浄液７０が投入される。
（工程Ｓｂ５）
潤滑剤塗布用ワイヤロープ１０を管部６２０ａに向かって送る。潤滑剤塗布用ワイヤロープ１０には、受け部６１０に保持された洗浄液７０が付着する。その際、受け部６１０の内側の径が、第１の開口部Ｈ１から第２の開口部Ｈ２に向かうに従って小さくなっているので、潤滑剤塗布用ワイヤロープ１０は途中で引っ掛かることなく送られ、洗浄液７０が潤滑剤塗布用ワイヤロープ１０の表面にまんべんなく付着する。
潤滑剤塗布用ワイヤロープ１０を更に送ると、洗浄液７０が付着した潤滑剤塗布用ワイヤロープ１０がコンジットライナ２０の内部を通り、前述の通りコンジットライナ２０の内部が洗浄される。
【００３９】
（工程Ｓｂ６）
潤滑剤塗布用ワイヤロープ１０を更に送り、コンジットライナ２０から抜き取る。
コンジットライナ２０の内部を洗浄する工程Ｓｂ３〜Ｓｂ６は、汚れの程度に応じて繰り返して実施される。
【００４０】
コンジットライナ２０の内部を洗浄後、続いて以下に示す潤滑剤７２の塗布作業を実施する。
（工程Ｓｂ７）
潤滑剤塗布用ワイヤロープ１０の一端部１０２ａ（図１参照）を、第２の開口部Ｈ２まで挿入する。第２の開口部Ｈ２は、潤滑剤塗布用ワイヤロープ１０によって塞がれた状態となる。
（工程Ｓｂ８）
受け部６１０に、予め決められた分量の潤滑剤７２を投入する。
なお、コンジットライナ２０の端部の開口部が上方以外の方向を向いている場合には、前述の通り、開口部の向きに対応して曲がった管部を有する潤滑剤供給具が使用される。
【００４１】
（工程Ｓｂ９）
潤滑剤塗布用ワイヤロープ１０を管部６２０ａに向かって送る。潤滑剤塗布用ワイヤロープ１０の表面には、受け部６１０に保持された潤滑剤７２がまんべんなく付着する。
潤滑剤塗布用ワイヤロープ１０を更に送ると、潤滑剤７２が付着した潤滑剤塗布用ワイヤロープ１０がコンジットライナ２０の内部を通り、前述の通りコンジットライナ２０の内部に潤滑剤７２が塗布される。
【００４２】
（工程Ｓｂ１０）
潤滑剤塗布用ワイヤロープ１０を更に送り、先端側をコンジットライナ２０から抜き取る。
コンジットライナ２０の内部に潤滑剤７２をまんべんなく塗布するために、工程Ｓｂ７〜Ｓｂ１０を複数回繰り返してもよい。
【００４３】
このように、潤滑剤塗布器具５０ａを用いた潤滑剤の塗布方法によれば、粘度の高い潤滑剤をコンジットライナ２０の内部に塗布できる。
また、潤滑剤塗布器具５０ｂ（図３Ｂ参照）及び潤滑剤塗布器具５０ｃ（図３Ｃ参照）のような曲がった管部を有する潤滑剤塗布器具を用いた潤滑剤の塗布方法によれば、コンジットライナ２０の端部の開口部が上方以外の方向を向いていても、粘度の高い潤滑剤をコンジットライナ２０の内部に塗布できる。
【００４４】
〔第２の実施の形態〕
続いて、本発明の第２の実施の形態に係る潤滑剤塗布用線条体８０について説明する。
本発明の第２の実施の形態に係る潤滑剤塗布用線条体８０は、図４に示すように、ワイヤロープ８２、接続部８３、及びブラシ部８４を備えている。
【００４５】
ワイヤロープ８２は、例えば直径１．０〜１．５ｍｍの金属製のワイヤロープを用いて形成されている。詳細には、潤滑剤塗布用ワイヤロープ１０は、金属製の複数本の素線１０４を撚り合わせて形成されたストランドを更に撚り合わせて形成されている。
ワイヤロープ８２の先端側となる一端部８２２は、素線がほつれないように処理されている。具体的には、一端部８２２はろう付け又ははんだ付けされ、研削して丸くなるように仕上げられている。
【００４６】
接続部８３は、キャップ部材８３２及び接続金具８３４を有している。
キャップ部材８３２は、ワイヤロープ８２の他端部に挿入され、ろう付け又ははんだ付けされている。
接続金具８３４は、キャップ部材８３２に取り付けられた環状の金具である。
【００４７】
ブラシ部８４は、接続金具８３４に連結されている。ブラシ部８４は、ワイヤロープ８２の径方向外側に広がるブラシ毛材８４２を有している。
【００４８】
このように構成された潤滑剤塗布用線条体８０は、ワイヤロープ８２の一端部８２２からコンジットライナ２０（図２参照）の内部に挿入され、第１の実施の形態に係る潤滑剤塗布用ワイヤロープ１０と同様に使用されることで、コンジットライナ２０の内部を洗浄したり、コンジットライナ２０の内部に潤滑剤を塗布したりできる。
また、本実施の形態に係る潤滑剤塗布用線条体８０及び第１の実施の形態に係る潤滑剤供給具６０ａ、６０ｂ、６０ｃ（図３Ａ〜図３Ｃ参照）のいずれかより潤滑剤塗布器具を構成し、第１の実施の形態に係る潤滑剤塗布器具５０ａ、５０ｂ、５０ｃと同様に使用されることで、コンジットライナ２０の内部を洗浄したり、コンジットライナ２０の内部に潤滑剤を塗布したりできる。
【００４９】
以上、本発明の実施の形態を説明したが、本発明は、上記した形態に限定されるものでなく、要旨を逸脱しない条件の変更等は全て本発明の適用範囲である。
素線がほつれないように処理された複数の処理部は、少なくとも１箇所設けられていればよい。
【符号の説明】
【００５０】
１０  潤滑剤塗布用ワイヤロープ
２０  コンジットライナ
５０ａ、５０ｂ、５０ｃ  潤滑剤塗布器具
６０ａ、６０ｂ、６０ｃ  潤滑剤供給具
７０  洗浄液
７２  潤滑剤
８０  潤滑剤塗布用線条体
８２  ワイヤロープ
８３  接続部
８４  ブラシ部
Ｈ１  第１の開口部
Ｈ２  第２の開口部
１０２ａ  一端部
１０２ｂ  他端部
１０４  素線
１０６ａ、１０６ｂ、１０６ｃ  処理部
２０２  巻線
２０４  凹部
６１０  受け部
６２０ａ、６２０ｂ、６２０ｃ  管部
８２２  一端部
８３２  キャップ部材
８３４  接続金具
８４２  ブラシ毛材
【図１】
2016203203.tif 000003
【図２】
2016203203.tif 000004
【図３Ａ】
2016203203.tif 000005
【図３Ｂ】
2016203203.tif 000006
【図３Ｃ】
2016203203.tif 000007
【図４】
2016203203.tif 000008